(57)【特許請求の範囲】
【請求項１】
詰替えるべき容器の口部に装着され、詰替え容器の円筒状の注出筒に連係させて該詰替え容器内の内容物を前記注出筒の内部通路を通して移し替える詰替え用受液栓であって、
前記詰替えるべき容器の口部において区画凹所を形成するベースと、このベースの底壁にて起立するとともに前記詰替え容器の注出筒がその内側に倒立姿勢で軸方向から入れ込まれて係合可能なＣ型断面形状をなす注入筒と、貫通孔を備えたリングと該リングから起立する棒体とを備えて前記注入筒の内部通路に該内部通路に形成されたフランジにおいて固定保持される開封部材とを備え、
前記注入筒の前記開封部材が固定保持された部分の垂直断面における流路面積と、前記注出筒の内部通路の垂直断面における流路面積との比が０.８６以下であり、
前記注入筒の壁部と前記ベースの壁部に、各壁部との相互間において連続的又は断続的につながり、前記注入筒の内側に係合した前記注出筒の先端が前記リングに当接した状態において、前記注出筒の内部通路の垂直断面における流路面積の１３２〜１７９％の開口面積にて開口する空気置換口を設けた、ことを特徴とする詰替え用受液栓。
【発明の詳細な説明】
【技術分野】
【０００１】
本発明は、詰替え用受液栓を利用して容器の胴部を強制的に押し潰して内容物の詰替えを行う場合において起こりがちであった受液栓の空気置換口からの液の溢れ出しを回避しつつ内容物のスムーズな移し替えを実現しようとするものである。
【背景技術】
【０００２】
シャンプーやリンス、洗剤、消臭除菌剤あるいは化粧品等を入れる容器としては、内容物の適量取り出しを可能とするためにポンプの如き吐出器を備えられたものが数多く上市される傾向にあり、内容物を使いきったのちは、別途に市販されている詰替え容器から新たな内容物を移し替えて詰替えるべき容器（以下、この容器を以下、継続使用容器という。）を再利用するのが普通になってきており、これによって資源の有効活用が図られている（例えば、特許文献１参照）。
【０００３】
ところで、詰替え容器はもともと、パウチタイプの容器や薄肉のブロー成形品等腰がない（剛性が低い）容器が適用されており内容物の詰替えが行い難く、例えば特許文献１のように２つの容器をねじを介して連結したのち内容物の移し替えを行うなど、これまでに種々の提案がなされてきているものの、とくに詰替え容器（薄肉容器）に注出筒を設けてこの注出筒を継続使用容器の口部に設置した受液栓に連係させて詰替えを行うものにあっては、容器の強制的な押し潰しにより内容物が一度に大量に注出された場合に受液栓の空気置換口内でバブリング現象が起こって液が溢れでてしまう不具合があり、この点に関しては未だ改善の余地が残されていた。
【先行技術文献】
【特許文献】
【０００４】
【特許文献１】特開２０００−１５９２４９号公報
【発明の概要】
【発明が解決しようとする課題】
【０００５】
本発明の課題は、薄肉容器を詰替え容器として内容物の詰め替えを行う場合に生じていた空気置換口からの液の溢れ出しを回避することができる新規な受液栓を提案するところにある。
【課題を解決するための手段】
【０００６】
本発明は、詰替えるべき容器の口部に装着され、詰替え容器の円筒状の注出筒に連係させて該詰替え容器内の内容物を前記注出筒の内部通路を通して移し替える詰替え用受液栓であって、
前記詰替えるべき容器の口部において区画凹所を形成するベースと、このベースの底壁にて起立するとともに前記詰替え容器の注出筒がその内側に倒立姿勢で軸方向から入れ込まれて係合可能なＣ型断面形状をなす注入筒と、貫通孔を備えたリングと該リングから起立する棒体とを備えて前記注入筒の内部通路に該内部通路に形成されたフランジにおいて固定保持される開封部材とを備え、
前記注入筒の前記開封部材が固定保持された部分の垂直断面における流路面積と、前記注出筒の内部通路の垂直断面における流路面積との比が０.８６以下であり、
前記注入筒の壁部と前記ベースの壁部に、各壁部との相互間において連続的又は断続的につながり、前記注入筒の内側に係合した前記注出筒の先端が前記リングに当接した状態において、前記注出筒の内部通路の垂直断面における流路面積の１３２〜１７９％の開口面積にて開口する空気置換口を設けた、ことを特徴とする詰替え用受液栓である。
【発明の効果】
【０００７】
詰替え容器としては、該容器を反転して内容物を自然に落下させて継続使用容器に移し替える置換タイプと、容器の胴部を加圧して内容物を強制的に継続使用容器へ移し替える強制排出タイプがあるが、本発明では、注入筒につき注出筒の内部通路の流路面積との比が０.８６以下となる流路面積を有するものにおいて、注入筒の壁部とベースの壁部に、各壁部との相互間において連続的あるいは断続的につながり、前記注出筒の内部通路における流路面積の１３２〜１７９％の開口面積を有する空気置換口を成形したため、容器の胴部を押し潰して内容物の詰替えを行う場合においても内容物がスムーズに流れ落ち、空気置換口内でバルリング現象が起きて液が溢れ出すことはない。また、内容物を詰替えた継続使用容器から内容物を排出する際、空気置換口から内容物が流れ出る（液だれ）こともないので使い勝手が改善される。
【図面の簡単な説明】
【０００８】
【図１】（ａ）（ｂ）（ｃ）は本発明にしたがう詰替え用受液栓の実施の形態を示した図であり、（ａ）は平面図、（ｂ）は図１（ａ）のＡ−Ａ断面図、（ｃ）は図１（ａ）のＢ−Ｂ断面図である。
【図２】本発明にしたがう受液栓を使用して内容物の詰替えを行う場合の説明図である。
【図３】本発明にしたがう受液栓を使用して内容物の詰替えを行う場合の説明図である。
【図４】タイプ別に流路面積比を比較して示した図である。
【発明を実施するための形態】
【０００９】
以下、図面を参照して本発明をより具体的に説明する。
図１（ａ）〜（ｃ）は、本発明にしたがう詰替え用受液栓の実施の形態を模式的に示した図である。
【００１０】
図における符号１は、アンダーカットの如き係合手段でもって回動不能に継続使用容器の口頚部に固定することができるベースである。このベース１は、口頚部の周りを取り囲む外周壁１ａと、この周壁１ａの上端部で一体連結し外周壁１ａと協働して下向きに開放された溝部を形成する内周壁１ｂと、この内周壁１ｂの下端に一体連結して口頚部において区画凹所を形成する底壁１ｃから構成されている。
【００１１】
２は、ベース１の底壁１ｃにおいて起立するＣ型断面形状をなす注入筒である。この注入筒２は、後述の副流路が設けられている側でその全長にわたって壁部に幅Wでもって切欠部２ａが設けられていて、詰替え容器の注出筒の内部通路の流路面積との比（注入筒の流路面積／注出筒の流路面積）が０.８６以下となる流路面積を有し、その先端部（上端部）が後に図示する詰替え容器の注出筒と係合するようになっており、この注入筒２を通して詰替え容器内の内容物が継続使用容器に移し替えられる。
【００１２】
また、３は、注入筒２の内部通路に設けられた開封部材である。この開封部材３は、注入筒２の内部通路に形成されたフランジｆにおいて固定保持され、十字アームにより扇形の４つの貫通孔３ａを形成するリング３ｂと、このリング３ｂの十字アーム上において起立した長尺、短尺二種の棒体３ｃ、３ｄから構成されている。４は、ベース１の底壁１ｃから内周壁１ｂにかけて設けられた副流路（底部貫通孔）である。この副流路４は注入筒２の切欠部２ａ（開封部材３から下側に位置する長さＬの範囲の開口面積）と協働して空気置換口を形成するものであり、詰替え容器の注出筒の内部通路の流路面積の１３２〜１７９％の開口面積Ｓにて開口されている。ここに、例えば、注出筒の内部通路の流路面積が１２８．6ｍｍ２の場合には、空気置換口の開口面積Ｓは、１７０〜２３０ｍｍ２の範囲に設定される（Ｓ＝１７０ｍｍ２の場合、Ｓ１＝７０ｍｍ２、Ｓ２＝１００ｍｍ２とするのが好ましく、Ｓ＝２３０ｍｍ２で、Ｓ１＝７０ｍｍ２、Ｓ２＝１６０ｍｍ２とするのが好ましい。）
【００１３】
ベース１の底壁１ｃは、一方から他方に向けて傾斜した傾斜壁からなっており、内容物の詰替えに際して注入筒２の切欠部２ａから内容物が漏れ出ても漏れ出た内容物は空気置換口を形成する副流路４を通して全て継続使用容器内へ流れ込むように該副流路４は底壁１ｃがもっとも低くなる部位に形成されている。
【００１４】
さらに、５は、外周壁１ａと内周壁１ｂとをつなぐ天壁１ｄにおいて設けられた環状体である。この環状体５の外周面にはねじ部が設けられおり、この環状体５には図示しないオーバーキャップのねじ部を係合させることによって継続使用容器を密封状態に保持する（アンダーカットによる係合であってもよい。）。
【００１５】
図２、３は、詰替え容器と、継続使用容器との関係を詰替え前、詰替え中の状態として示した図である。図において６は、二軸延伸ブロー成形によって成形された薄肉の詰替え容器（パウチ等の容器を適用してもよい。）、７は、注入筒２の内側に入り込む径を有し詰替え容器６の口部６ａにねじ止めされた例で示した注出筒である。注出筒７には、内部通路７ａ内に着脱可能な密封蓋７ｂが設けられており、図２に示すように倒立姿勢にした容器の注出筒７を注入筒２に入れ込み、図３の如く開封部材３によって密封蓋７ｂを押し込むことで内部通路７ａが開通する。このとき、密封蓋７bが内部通路７ａを塞ぎ内容物の流出を阻害することがないように、短尺の棒体３ｄと注出筒７の内壁面との間に密封蓋７ｂを入り込ませて該密封蓋７ｂの倒れ込みを防止するのがよい。
【００１６】
図４に詰替え容器６の注出筒７と、継続使用容器に設けられた受液栓の注入筒２の断面を示すように、内容物が容器の反転によって自然に流れ出る置換タイプの容器にあっては、注出筒７と注入筒２の通路の面積比が、およそ１：１となっておりとくに問題はないものの、強制排出タイプの容器では、およそ１．６：１、その境界に位置するタイプの容器にあっては、およそ１.２：１であって、境界タイプ、強制排出タイプのものでは、注入筒２の流路面積と注出筒７の流路面積の比が０.８６以下であり、容器を反転しても容器から息つぎ状（空気置換）に内容物が自然排出することがないため、容器の胴部に力を加えて強制的に押し潰さなければならないが、この場合、内容物が大量に流れ出てしまうこともあり、空気置換口内でのバブリング現象は避けられない。
【００１７】
本発明は、注入筒２の流路面積と注出筒の内部通路の流路面積との比が０.８６以下となるものにおいて、注出筒７の内部通路の流路面積の１３２〜１７９％の面積にて開口された空気置換口を形成したため、詰替え容器６の胴部を押し潰して内容物を強制的に排出するような詰替えを行っても空気置換口４から内容物が溢れだすことがなくスムーズな詰替えが行える。
【００１８】
具体的には、注出筒７の流路面積が１２８.６ｍｍ２である場合、空気置換口４の開口面積は１７０ｍｍ２〜２３０ｍｍ２の範囲に設定するのが望ましい。
【００１９】
注出筒７の流路面積が１２８.６ｍｍ２の場合において空気置換口４の開口面積が１７０ｍｍ２未満になると、詰替え容器６の胴部を加圧して内容物を排出する強制排出タイプのものにあっては、空気置換口内でバルリング現象が起こって内容物が溢れ出るのが避けられず、一方、２３０ｍｍ２を超える場合には、継続使用容器の使用において継続使用容器を傾ける際に該空気置換口から内容物が流れ出る不具合がある。
【００２０】
空気置換口は矩形状のものを例として示したが、その形状はとくに限定されるものではなく、ベースの形状に応じて種々変更することができる。
【００２１】
実施例
上掲図２、３に示すような詰替え容器（注出筒の通路の流路面積１２８.６ｍｍ２）内の内容物を継続使用容器（注入筒の流路面積８１.８ｍｍ２）に移し替えるべく受液栓の空気置換口の開口面積Ｓを種々変更（１６０ｍｍ２、１７０ｍ２、２００ｍｍ２、２３０ｍｍ２、２５０ｍｍ２）して詰替えを行い（注入筒の流路面積と注出筒の流路面積との比０.６４）、その際の状況を観察した。
【００２２】
その結果、空気置換口の開口面積Ｓの、注出筒の通路の開口面積に対する割合が１３２〜１７９％の範囲に収まる場合にあっては、内容物がスムーズに移し替えられことが確認された。これに対して空気置換口の開口面積Ｓの、注出筒の通路の開口面積の１３２％を下回るものにあっては、空気置換口内でバブリング現象が発生し液が溢れ出るのが避けられず、空気置換口の開口面積Ｓの、注出筒の通路の開口面積に対する割合が１７９％を超えるものにあっては、バブリング現象が発生することがなかったものの継続使用容器から内容物を注出する際に空気置換口から内容物が流れ出るのが避けられなかった。
【産業上の利用可能性】
【００２３】
詰替え容器の胴部を強制的に押し潰す詰替えを行っても詰替え中において内容物が空気置換口から溢れ出たり、あるいは継続使用容器の使用中において内容物が空気置換口から流れ出ることのない受液栓が提供できる。
【符号の説明】
【００２４】
１      ベース
１ａ    外周壁
１ｂ    内周壁
１ｃ    底壁
１ｄ    天壁
２      注入筒
２ａ    切欠部
３      開封部材
３ａ    貫通孔
３ｂ    リング
３ｃ    長尺の棒体
３ｄ    短尺の棒体
４      副流路
５      環状体
６      詰替え容器
７      注出筒
７ａ    内部通路
７ｂ    密封蓋
ｆ      フランジ
【図１】
0005415342.tif 000002
【図２】
0005415342.tif 000003
【図３】
0005415342.tif 000004
【図４】
0005415342.tif 000005